(57)【要約】【課題】インク滴によるドットの広がりが効果的に抑制された記録装置を提供する。【解決手段】記録装置１０においては、中間転写体１２上に形成された粒子層１６Ａ上の形成対象の画像の各画素に応じたインクドットの記録される対象領域に、湿し液吐出装置２１から湿し液２１Ａを吐出した後に、インクジェット記録装置２０からインク滴２０Ａを吐出してインクドット２０Ｂを記録する。【選択図】図１
2010201777.tif 000002
【特許請求の範囲】
【請求項１】
中間転写体と、
液体を受容する液体受容性粒子を前記中間転写体上に供給する供給装置と、
前記中間転写体上に供給された前記液体受容性粒子の粒子層に、該粒子層を湿らせる湿し液を吐出する湿し液吐出装置と、
前記湿し液の吐出された前記粒子層に、形成対象の画像の各画素に応じたドットを記録するためのインク滴を吐出するインク滴吐出装置と、
前記インク滴及び前記湿し液の吐出された前記粒子層を記録媒体に転写する転写装置と、
前記記録媒体に転写された前記液体受容性粒子を該記録媒体に定着する定着装置と、
を備えた記録装置。
【請求項２】
液体を受容する液体受容性粒子を記録媒体上に供給する供給手段と、
前記記録媒体上に供給された前記液体受容性粒子の粒子層に、該粒子層を湿らせる湿し液を吐出する湿し液吐出装置と、
前記湿し液の吐出された前記粒子層に、形成対象の画像の各画素に応じたドットを記録するためのインク滴を吐出するインク滴吐出装置と、
前記インク滴及び前記湿し液の吐出された前記粒子層を前記記録媒体に定着する定着装置と、
を備えた記録装置。
【請求項３】
前記湿し液吐出装置は、
前記インク滴吐出装置による前記インク滴の吐出によって前記粒子層上に形成される画像領域中の、少なくとも異なる２方向に連続してドットの記録される連続領域の周縁部に対応する領域に前記湿し液を吐出し、該連続領域中の該周縁部以外の非周縁部領域には前記湿し液を非吐出とすることを特徴とする請求項１または請求項２に記載の記録装置。
【請求項４】
前記湿し液吐出装置は、
前記インク滴吐出装置による前記インク滴の吐出によって前記粒子層上に形成される画像領域以外の非画像領域中の、少なくとも前記画像領域の縁部のドットに連続する領域に、前記湿し液を吐出することを特徴とする請求項１または請求項２に記載の記録装置。
【請求項５】
前記湿し液吐出装置によって吐出される前記湿し液の単位面積当たりの吐出量は、前記インク滴吐出装置によって吐出されるインク滴の単位面積当たりの吐出量より少ないことを特徴とする請求項４に記載の記録装置。
【請求項６】
前記インク滴吐出装置は、互いに光学濃度の異なるインク滴を吐出する複数の吐出装置を含むことを特徴とする請求項１〜請求項５の何れか１項に記載の記録装置。
【請求項７】
前記中間転写体を搬送する搬送装置を備え、
前記インク滴吐出装置は、互いに光学濃度の異なるインク滴を吐出する複数の吐出装置を含み、
該複数の吐出装置は、
前記中間転写体の搬送方向上流側から搬送方向下流側に向かって順に光学濃度の高いインク滴が吐出されるように配置されたことを特徴とする請求項１に記載の記録装置。
【請求項８】
前記記録媒体を搬送する搬送装置を備え、
前記インク滴吐出装置は、互いに光学濃度の異なるインク滴を吐出する複数の吐出装置を含み、
該複数の吐出装置は、
前記記録媒体の搬送方向上流側から搬送方向下流側に向かって順に、光学濃度の低いインク滴から光学濃度の高いインク滴が吐出されるように配置されたことを特徴とする請求項２に記載の記録装置。
【請求項９】
前記湿し液の前記液体受容性粒子への吸液速度は、前記インク滴より速いことを特徴とする請求項１〜請求項８の何れか１項に記載の記録装置。
【発明の詳細な説明】
【技術分野】
【０００１】
本発明は、記録装置に関する。
【背景技術】
【０００２】
インクを利用した画像やデータ等を記録の一つとして、
浸透媒体や非浸透媒体などの多様な記録媒体に対し記録を行う方式が提案されている（例えば、特許文献１）。
【０００３】
特許文献１には、中間転写体の表面に、インク液滴により溶解または膨潤し且つ該インク液滴の粘度を上昇させ、且つ中間転写体から剥離可能な材料を供給した後に、該材料層上にインク液滴を噴射して可視画像を形成し、記録媒体上に転写する技術が提案されている。
【先行技術文献】
【特許文献】
【０００４】
【特許文献１】特開２００１−３４７７４７号公報
【発明の概要】
【発明が解決しようとする課題】
【０００５】
本発明は、湿し液を用いない場合に比べて、インク滴によるドットの広がりが効果的に抑制された記録装置を提供することである。
【課題を解決するための手段】
【０００６】
上記課題は、以下の装置により解決される。即ち、
【０００７】
請求項１に係る発明は、中間転写体と、液体を受容する液体受容性粒子を前記中間転写体上に供給する供給装置と、前記中間転写体上に供給された前記液体受容性粒子の粒子層に、該粒子層を湿らせる湿し液を吐出する湿し液吐出装置と、前記湿し液の吐出された前記粒子層に、形成対象の画像の各画素に応じたドットを記録するためのインク滴を吐出するインク滴吐出装置と、前記インク滴及び前記湿し液の吐出された前記粒子層を記録媒体に転写する転写装置と、前記記録媒体に転写された前記液体受容性粒子を該記録媒体に定着する定着装置と、を備えた記録装置である。
【０００８】
請求項２に係る発明は、液体を受容する液体受容性粒子を記録媒体上に供給する供給手段と、前記記録媒体上に供給された前記液体受容性粒子の粒子層に、該粒子層を湿らせる湿し液を吐出する湿し液吐出装置と、前記湿し液の吐出された前記粒子層に、形成対象の画像の各画素に応じたドットを記録するためのインク滴を吐出するインク滴吐出装置と、前記インク滴及び前記湿し液の吐出された前記粒子層を前記記録媒体に定着する定着装置と、を備えた記録装置である。
【０００９】
請求項３に係る発明は、前記湿し液吐出装置は、前記インク滴吐出装置による前記インク滴の吐出によって前記粒子層上に形成される画像領域中の、少なくとも異なる２方向に連続してドットの記録される連続領域の周縁部に対応する領域に前記湿し液を吐出し、該連続領域中の該周縁部以外の非周縁部領域には前記湿し液を非吐出とすることを特徴とする請求項１または請求項２に記載の記録装置である。
【００１０】
請求項４に係る発明は、前記湿し液吐出装置は、前記インク滴吐出装置による前記インク滴の吐出によって前記粒子層上に形成される画像領域以外の非画像領域中の、少なくとも前記画像領域の縁部のドットに連続する領域に、前記湿し液を吐出することを特徴とする請求項１または請求項２に記載の記録装置である。
【００１１】
請求項５に係る発明は、前記湿し液吐出装置によって吐出される前記湿し液の単位面積当たりの吐出量は、前記インク滴吐出装置によって吐出されるインク滴の単位面積当たりの吐出量より少ないことを特徴とする請求項４に記載の記録装置である。
【００１２】
請求項６に係る発明は、前記インク滴吐出装置は、互いに光学濃度の異なるインク滴を吐出する複数の吐出装置を含むことを特徴とする請求項１〜請求項５の何れか１項に記載の記録装置である。
【００１３】
請求項７に係る発明は、前記中間転写体を搬送する搬送装置を備え、前記インク滴吐出装置は、互いに光学濃度の異なるインク滴を吐出する複数の吐出装置を含み、該複数の吐出装置は、前記中間転写体の搬送方向上流側から搬送方向下流側に向かって順に光学濃度の高いインク滴が吐出されるように配置されたことを特徴とする請求項１に記載の記録装置である。
【００１４】
請求項８に係る発明は、前記記録媒体を搬送する搬送装置を備え、前記インク滴吐出装置は、互いに光学濃度の異なるインク滴を吐出する複数の吐出装置を含み、該複数の吐出装置は、前記記録媒体の搬送方向上流側から搬送方向下流側に向かって順に、光学濃度の低いインク滴から光学濃度の高いインク滴が吐出されるように配置されたことを特徴とする請求項２に記載の記録装置である。
【００１５】
請求項９に係る発明は、前記湿し液の前記液体受容性粒子への吸液速度は、前記インク滴より速いことを特徴とする請求項１〜請求項８の何れか１項に記載の記録装置である。
【発明の効果】
【００１６】
請求項１、２に係る発明によれば、湿し液を用いない場合に比べて、インク滴によるドットの広がりが効果的に抑制された記録装置が提供される、という効果を奏する。
【００１７】
請求項３に係る発明によれば、本構成を有さない場合に比べて、特にベタ領域の粒状性が向上する、という効果を奏する。
【００１８】
請求項４に係る発明によれば、本構成を有さない場合に比べて、画像のエッジ部の鮮鋭さが向上する、という効果を奏する。
【００１９】
請求項５に係る発明によれば、本構成を有さない場合に比べて、細線のつぶれ、細りを軽減し、画質の再現性が向上する、という効果を奏する。
【００２０】
請求項６に係る発明によれば、本構成を有さない場合に比べて、カラー画像の画像再現性が向上する、という効果を奏する。
【００２１】
請求項７、８に係る発明によれば、本構成の順に複数の吐出装置を配置しない場合に比べて、高速記録時のにじみが抑制される、という効果を奏する。
【００２２】
請求項９に係る発明によれば、本構成を有さない場合に比べて、更に高速記録時のにじみが抑制される、という効果を奏する。
【図面の簡単な説明】
【００２３】
【図１】第１の実施の形態に係る記録装置を示す概略構成図である。
【図２】第１の実施の形態に係る記録装置のメインコントローラを示すブロック図である。
【図３】第１の実施の形態に係る湿し液データ作成処理を示すフローチャートである。
【図４】（Ａ）〜（Ｃ）は、各々、第１の実施の形態に係る各々吐出された湿し液により湿し液ドットの記録された状態、記録されるインク滴ドット、湿し液ドット上にインク滴が吐出された状態を示す模式図である。
【図５】第１の実施の形態に係る粒子層上に湿し液が吐出された状態を示す模式図である。
【図６】第１の実施の形態に係る粒子層上に吐出された湿し液が液体受容性粒子１６間の空隙に浸透して湿し液ドットが形成された状態を示す模式図である。
【図７】第１の実施の形態に係る湿し液ドット上にインク滴が吐出された状態を示す模式図である。
【図８】第１の実施の形態に係るインクドットが記録された状態を示す模式図である。
【図９】第１の実施の形態に係る湿し液ドット上にインクドットの記録された状態を示す模式図である。
【図１０】第１の実施の形態に係る湿し液ドット上にインク滴が吐出されることによって形成された画像領域Ｔを示す模式図である。
【図１１】従来方式において、粒子層上にインク滴が吐出された状態を示す模式図である。
【図１２】従来方式において、粒子層上に吐出されたインク滴が粒子層に吸収されていく状態を示す模式図である。
【図１３】従来方式において、粒子層上に吐出されたインク滴によって記録されたインクドットを示す模式図である。
【図１４】従来方式において、粒子層上にインク滴が吐出されることによって形成された画像領域Ｔを示す模式図である。
【図１５】第１の実施の形態に係る湿し液ドット上にインク滴が吐出されることによって形成された画像領域Ｔを示す模式図である。
【図１６】従来方式において、粒子層上にインク滴が吐出されることによって形成された画像領域Ｔを示す模式図である。
【図１７】第１の実施の形態にかかる、記録媒体上に粒子層を形成する形態の記録装置を示す模式図である。
【図１８】本実施の形態で用いられる液体受容性粒子を示す模式図である。
【図１９】本実施の形態で用いられる液体受容性粒子を示す模式図である。
【図２０】第２の実施の形態に係る記録装置を示す模式図である。
【図２１】第２の実施の形態に係る記録装置のメインコントローラを示すブロック図である。
【図２２】第２の実施の形態に係る湿し液データ作成処理を示すフローチャートである。
【図２３】第２の実施の形態に係る湿し液ドット上にインク滴が吐出されることによって形成された画像領域Ｔを示す模式図である。
【図２４】（Ａ）〜（Ｃ）は、各々、第２の実施の形態に係る各々吐出された湿し液により湿し液ドットの記録された状態、記録されるインク滴ドット、湿し液ドット上にインク滴が吐出された状態を示す模式図である。
【図２５】第３の実施の形態に係る記録装置を示す模式図である。
【図２６】第３の実施の形態に係る記録装置のメインコントローラを示すブロック図である。
【図２７】第３の実施の形態に係る湿し液データ作成処理を示すフローチャートである。
【図２８】第３の実施の形態に係る粒子層上に湿し液が吐出された状態を示す模式図である。
【図２９】第３の実施の形態に係る粒子層上に吐出された湿し液が液体受容性粒子１６間の空隙に浸透して湿し液ドットが形成された状態を示す模式図である。
【図３０】第３の実施の形態に係る湿し液ドット上にインク滴が吐出された状態を示す模式図である。
【図３１】第３の実施の形態に係るインクドットが記録された状態を示す模式図である。
【図３２】（Ａ）〜（Ｄ）は、各々、第３の実施の形態に係る粒子層上に湿し液の吐出された状態、吐出された湿し液により湿し液ドットの記録された状態、記録されるインク滴ドット、インク滴が吐出された状態を示す模式図である。
【図３３】第４の実施の形態に係る記録装置を示す模式図である。
【図３４】第４の実施の形態に係る記録装置を示す模式図である。
【発明を実施するための形態】
【００２４】
以下、本発明の実施形態について図面を参照しつつ説明する。なお、実質的に同じ作用・機能を有する部材には、全図面を通して同じ符合を付与し、重複する説明は省略する場合がある。
【００２５】
（第１の実施の形態）
図１は、本実施の形態に係る記録装置を示す構成図である。図２は、本実施の形態に係る記録装置の主要部を示す構成図である。なお、以下の実施の形態では、後述する液体受容性粒子として複合体粒子（詳細後述）を適用した場合を説明している。
【００２６】
本実施の形態に係る記録装置１０は、図１に示すように、無端ベルト状で且つ搬送方向（図１中、矢印Ｘ方向）に搬送される中間転写体１２を備えている。この中間転写体１２の周囲には、中間転写体１２の搬送方向（図１中、矢印Ｘ方向）沿って、帯電装置２８、粒子供給装置１８、平坦化装置３０、湿し液吐出装置２１、インクジェット記録ヘッド２０、転写装置２２、及びクリーニング装置２４が配列されている。また、記録装置１０は、上記転写装置２２によって記録媒体８上に転写された粒子層１６Ａを、該記録媒体８へ定着させる定着装置２５を含んで構成されている。また、記録装置１０は、装置全体を制御するメインコントローラ３１を備えている。
【００２７】
メインコントローラ３１は、記録装置１０に設けられた装置各部を制御し、図示は省略するが装置各部に信号授受可能に接続されている。
【００２８】
なお、記録装置１０が本発明の記録装置に相当し、中間転写ベルト１０が本発明の記録装置の中間転写体に相当する。また、湿し液吐出装置２１が本発明の記録装置の湿し液吐出装置に相当し、インクジェット記録ヘッド２０が本発明の記録装置のインク滴吐出装置に相当する。また、転写装置２２は本発明の記録装置の転写装置に相当し、定着装置２５が、本発明の記録装置の定着装置に相当する。
【００２９】
中間転写体１２は、液体受容性粒子１６を外周面に保持し、図１中矢印Ｘ方向に回転搬送される。中間転写体１２上に液体受容性粒子１６を静電力によって保持する観点から、中間転写体１２の少なくとも表面が半導電性あるいは絶縁性であることが望ましい。中間転写体表面の電気的特性として、半導電性の場合は表面抵抗率が１０１０Ω／□以上１０１４Ω／□以下、体積抵抗率が１０９Ω・ｃｍ以上１０１３Ω・ｃｍ以下、絶縁性の場合には表面抵抗率が１０１４Ω／□、体積抵抗率が１０１３Ω・ｃｍ以上の部材を用いる。
【００３０】
この中間転写体１２としては、図１に示すようにベルト状であってもよいし、あるいは円筒状（ドラム状）であってもよい。
【００３１】
ベルト形状の中間転写体１２の場合、基材としては、装置内におけるベルト回転駆動が可能で、必要な機械強度を持ち、特に転写／定着時に熱を使用する場合には、必要な耐熱性を持つものであればよい。具体的には、ポリイミド、ポリアミドイミド、アラミド樹脂、ポリエチレンテレフタレート、ポリエステル、ポリエーテルサルフォン、ステンレス等が使用される。
【００３２】
中間転写体１２は、例えば、厚さ１ｍｍのポリイミドフィルムのベース層の上に厚さ４００μｍのエチレンプロピレンゴム（ＥＰＤＭ）の表面層が形成される。ここでは表面抵抗値が１０１３Ω／□程度、体積抵抗値が１０１２Ω・ｃｍ程度（半導電性）であることが望ましい。なお、中間転写体がドラム形状である場合には、アルミやステンレス等を用いればよい。
【００３３】
帯電装置２８は、中間転写体１２表面を帯電させる。帯電装置２８としては、例えば、ステンレスを材料とする棒状の外周面に、導電性付与材を分散させた弾性層（発泡ウレタン樹脂など）を形成し、体積抵抗率１０６Ω・ｃｍ以上１０８Ω・ｃｍ以下程度に調整したロール形状の部材とする。さらに、弾性層の表面を厚さ５μｍ以上１００μｍ以下の撥水撥油性の被覆層（例えば四フッ化エチレン−パーフルオロアルキルビニルエーテル共重合体（ＰＦＡ）で構成した層）で被覆した構成が挙げられる。
【００３４】
粒子供給装置１８は、中間転写体１２上に液体受容性粒子１６を層状に形成して、該液体受容性粒子１６による粒子層１６Ａを形成する。
【００３５】
図１及び図２に示すように、粒子供給装置１８は、内部に液体受容性粒子１６を収容する容器１８Ｃと、該容器１８Ｃ内における中間転写体１２と向い合う領域に該中間転写体１２の表面から距離を隔てて配置された供給ロール１８Ａと、ブレード１８Ｂと、を有している。液体受容性粒子１６の構成については後述する。
【００３６】
ブレード１８Ｂは供給ロール１８Ａ表面に供給する液体受容性粒子１６の層厚を規制する。容器１８Ｃ内に収容されている液体受容性粒子１６は、回転する供給ロール１８Ａの外周面に保持され、ブレード１８Ｂによって保持量が規制された後に、中間転写体１２上へ層状に供給される。このブレード１８Ｂによって液体受容性粒子１６の保持量が調整されることで、中間転写体１２上に供給される液体受容性粒子１６による粒子層１６Ａの層厚が調整される。
【００３７】
供給ロール１８Ａは、ロール状とされており、本実施の形態では、図２中矢印Ｙ方向に回転される。また、供給ロール１８Ａは、中間転写体１２上に形成された固定層１４Ａに非接触となるように、該固定層１４Ａの表面から離間された状態で配置されている。このため、供給ロール１８Ａの外周面が、中間転写体１２の外周面によって汚染されることが抑制される。
【００３８】
容器１８Ｃ内の液体受容性粒子１６は、供給ロール１８Ａ表面に保持され、該供給ロール１８Ａの表面には、例えば１層（粒子一個分の層、以下同様である）または複数層の粒子層１６Ａが形成される。供給ロール１８Ａ表面に保持される液体受容性粒子１６の層厚は、ブレード１８Ｂによって調整される。この供給ロール１８Ａの表面に保持された液体受容性粒子１６は、供給ロール１８Ａの回転によって中間転写体１２表面と対向する領域に搬送されると、図示を省略するブラシの振動によって、供給ロール１８Ａ側から中間転写体１２上に形成される。
【００３９】
平坦化装置３０は、中間転写体１２上に形成された粒子層１６Ａの表面を、インク滴２０Ａの吐出による画像形成に支障の出ない程度に均す装置である。この平坦化装置３０としては、例えば、ローラ３０Ａが上下動可能にバネ３０Ｂによって支えられた構成とし、該ローラ３０Ａによって粒子層１６Ａの表面を均す構成とすればよい。
【００４０】
湿し液吐出装置２１は、粒子層１６Ａにおけるインクの広がりを抑制する湿し液を吐出する装置である。湿し液吐出装置２１は、粒子供給装置１８より中間転写体１２の搬送方向（図１中、矢印Ｘ方向）下流側で、且つインクジェット記録ヘッド２０より、該中間転写体１２の搬送方向上流側に設けられている。このため、粒子層１６Ａには、インク滴２０Ａが吐出されるより前に、湿し液２１Ａが吐出される。
この湿し液吐出装置２１から吐出される湿し液は、粒子層１６Ａを湿らせるための液体である。この湿し液の吐出された後に粒子層１６Ａにインク滴が吐出されることで、インク滴によるドットの広がりが抑制される。
【００４１】
この湿し液吐出装置２１は、例えば、記録装置１０における画像形成対象の記録媒体８の幅と同等またはそれ以上の幅を持つライン型インクジェット記録ヘッドの吐出する液体をインクから湿し液に替えたものを用いることが望ましいが、スキャン型のインクジェット記録ヘッドの吐出する液体を湿し液に変えたものを用いても良い。
湿し液吐出装置２１による湿し液の吐出方式は、湿し液を吐出可能な構成であればよく、例えば、圧電素子駆動型、発熱素子駆動型等が挙げられる。
【００４２】
インクジェット記録ヘッド２０は、画像を記録するための色を示すインク滴２０Ａを吐出する。本実施の形態では、記録装置２０には、１色のインク滴Ａを吐出するインクジェット記録ヘッド２０が設けられた構成である場合を説明する。
【００４３】
このインクジェット記録ヘッド２０から吐出されるインクの色としては、例えば、イエロー、シアン、マゼンタ、及び黒等が挙げられ、これらの中から１色が選ばれる。
【００４４】
インクジェット記録ヘッド２０としては、例えば、記録装置１０における画像形成対象の記録媒体８の幅と同等またはそれ以上の幅を持つライン型インクジェット記録ヘッドや、スキャン型のインクジェット記録ヘッドが挙げられる。インクジェット記録ヘッド２０によるインク滴の吐出方式は、インク滴を吐出可能な構成であればよく、例えば、圧電素子駆動型、発熱素子駆動型等が挙げられる。インクジェット記録ヘッド２０からインク滴２０Ａが吐出されることによって、粒子層１６Ａには各インク滴２０Ａに応じたドット（以下、インクドットと称する場合がある）が記録されて、画像が形成される。なお、詳細は後述するが、粒子層１６Ａには、このインク滴２０Ａの吐出される前に湿し液吐出装置２１によって湿し液が吐出されていることから、粒子層１６Ａに吐出されたインクの広がりが抑制され高画質化が図れる。
【００４５】
転写装置２２は、転写ロール２２Ａと従動ロール２２Ｂによって、インク滴２０Ａが吐出されることで画像の形成された粒子層１６Ａに、圧力、または熱及び圧力を加えることで、画像の形成された粒子層１６Ａを記録媒体８に転写する。例えば、中間転写体１２上の粒子層１６Ａに熱を加えることによって粒子層１６Ａの粘度を低減させ、且つ圧力を加えた状態で記録媒体８を挟持搬送することで、粒子層１６Ａを記録媒体８へと付着させる。これによって、中間転写体１２上の粒子層１６Ａは、記録媒体８へと転写される。
【００４６】
定着装置２５は、記録媒体８に転写された粒子層１６Ａを記録媒体８に定着させる。
定着装置２５は、加熱源を内蔵する加熱ロール２５Ａと、加熱ロール２５Ａに対し対向して設けられた加圧ロール２５Ｂと、を備えて構成されている。加熱ロール２５Ａ及び加圧ロール２５Ｂは、記録媒体８を挟持搬送するように設けられている。
【００４７】
加熱ロール２５Ａと加圧ロール２５Ｂとによって、粒子層１６Ａの形成された記録媒体８が挟持搬送されることによって、加熱ロール２５Ａと加圧ロール２５Ｂとの間の領域を通過する粒子層１６Ａを構成する有機樹脂が、ガラス転移点（Ｔｇ）以上に加熱されることにより軟化する（あるいは溶融する）と共に、圧力が加わることにより、記録媒体８に粒子層１６Ａが定着される。なお、粒子層１６Ａに保持されたインク液体成分（溶媒や分散媒）は、転写・定着後もそのまま粒子層１６Ａ内に保持される。
【００４８】
記録媒体８としては、浸透媒体（例えば、普通紙や、インクジェットコート紙等）、非浸透媒体（例えば、アート紙、樹脂フィルムなど）、いずれも適用される。また、記録媒体８は、これらに限らず、その他、半導体基板など工業製品も含まれる。また、記録媒体８としては、透明なＯＨＰ等を用いても良い。
【００４９】
上述のように構成された本実施形態に係る記録装置１０では、図１に示すように、中間転写体１２が搬送方向（図１中、Ｘ方向）へ搬送されると、帯電装置２８によって表面を帯電された中間転写体１２上に、粒子供給装置１８から液体受容性粒子１６が供給されて粒子層１６Ａが形成される。中間転写体１２の外周面は、帯電装置２８によって帯電されていることから、液体受容性粒子１６は静電力によって中間転写体１２の外周面に保持された状態となる。
【００５０】
なお、中間転写体１２の表面を帯電する前に、必要に応じて、離型層供給装置（不図示）にて離型層を形成してもよい。特に中間転写体１２の素材がアルミやＰＥＴベースであれば離型層を形成することが望ましい。あるいはフッ素樹脂・シリコーンゴム系の素材を用いて、中間転写体１２の表面自体に離形性を持たせるようにしてもよい。離型剤としてはシリコーン系オイル、フッ素系オイル、ポリアルキレングリコール、界面活性剤等の離型材料が挙げられる。
【００５１】
中間転写体１２上に形成される液体受容性粒子１６による粒子層１６Ａは、１層以上であればよく、例えば、液体受容性粒子１６が３層程度重なった厚みとなるように形成してもよい。ブレード１８Ｂと供給ロール１８Ａの間隙によって粒子層１６Ａを所望の厚さに制御することで、記録媒体８に粒子層１６Ａの厚さも調整される。あるいは供給ロール１８Ａと中間転写体１２の周速比によって粒子層１６Ａの厚さを制御してもよい。
【００５２】
この粒子層１６Ａの厚みは、例えば、転写される画像濃度が低い（インク打ち込み量が少ない（例えば０．１ｇ／ｍ２以上１．５ｇ／ｍ２以下））場合には必要最小限の層厚（例えば、１μｍ以上５μｍ以下）とし、また、画像濃度が高い（インク打ち込み量が多い（例えば４ｇ／ｍ２以上１５ｇ／ｍ２以下）場合には、インク液体成分（溶媒や分散媒）を保持可能である充分な層厚（例えば１０μｍ以上２５μｍ以下）となるように調整することが望ましい。
【００５３】
なお、粒子層１６Ａの厚みを、インク滴２０Ａが粒子層１６Ａの最下層まで到達しない程度とすれば、記録媒体８への転写後では粒子層１６Ａの内、インク滴２０Ａの存在する領域が露出せず、インク滴２０Ａの存在しない領域が保護層として機能することとなる。
【００５４】
この中間転写体１２上に形成された粒子層１６Ａは、平坦化装置３０によってインク滴の吐出による画像形成に支障がない程度にならされる。
【００５５】
ここで、液体受容性粒子層１６Ａの厚さは、１μｍ以上１００μｍ以下が望ましく、より望ましくは１μｍ以上５０μｍ以下、さらに望ましくは５μｍ以上２５μｍ以下である。また、液体受容性粒子層中の空隙率（即ち、液体受容性粒子間空隙率＋液体受容性粒子内空隙率（トラップ構造））は、１０％以上８０％以下であることが望ましく、より望ましくは３０％以上７０％以下、さらに望ましくは４０％以上６０％以下である。
【００５６】
この表面を均された粒子層１６Ａ上には、後述するメインコントローラ３１の制御によって、形成対象の画像の各画素に応じたインクドットの記録される対象領域に、湿し液吐出装置２１から湿し液２１Ａが吐出される。そして、さらに、後述するメインコントローラ３１の制御によって、形成対象の画像の各画素に応じたインクドットを記録するためのインク滴２０Ａがインクジェット記録ヘッド２０から吐出される。これによって、粒子層１６Ａ上には、粒子層１６Ａ上の湿し液２１Ａの吐出された領域（以下、湿し液ドットと称する）に重なるようにインク滴２０Ａが吐出される。この吐出されたインク滴２０Ａにより記録されたドット（以下、インクドットと称する）により、粒子層１６Ａ上に画像領域が形成される。なお、この粒子層１６Ａ上にインク滴２０Ａが吐出されることでインクドットの形成された領域を、「画像領域」と称して説明する。
【００５７】
なお、上記湿し液吐出装置２１による湿し液２１Ａの吐出、及びインクジェット記録ヘッド２０によるインク滴２０Ａの吐出は、張力の掛けられた状態で回転支持された中間転写ベルト１０における非屈曲領域上で行われる。つまり、ベルト表面がたわみのない状態で粒子層１６Ａ上に湿し液２１Ａ及びインク滴２０Ａが吐出される。
【００５８】
次いで、中間転写体１２上の、湿し液２１Ａ及びインク滴２０Ａの吐出された粒子層１６Ａは、転写装置２２による加熱・加圧により、記録媒体８上に転写される。記録媒体８に転写された粒子層１６Ａは、定着装置２５によって該記録媒体８に定着される。このとき、粒子層１６Ａは、定着装置２５によって加熱・加圧されるので表面を平らにされ、画像表面の光沢度を加熱・加圧によって調整される。
【００５９】
また加熱によって液体受容性粒子１６内部に捕獲されていたインク液体成分（溶媒や分散媒）の乾燥が促進される。そして、粒子層１６Ａに受容／保持されたインク液体成分（溶媒や分散媒）は、転写・定着後も粒子層１６Ａ内に保持され、自然乾燥にて除去される。上記の工程を経て、画像形成が終了する。
【００６０】
中間転写体１２については、液体受容性粒子１６を記録媒体８に転写した後、中間転写体１２上に残留した残留粒子及び記録媒体８から離脱した紙粉等の異物は、クリーニング装置２４によって中間転写体１２から除去される。そして、再び、中間転写ベルト１２上には、帯電装置２８による帯電及び粒子供給装置１８による液体受容性粒子１６の供給が行なわれ、上記画像記録プロセスが繰り返される。
【００６１】
図２には、メインコントローラ３１の概略ブロック図を示した。図２に示すように、メインコントローラ３１は、制御部３２、色変換部３４、画像処理部３６、記録データ作成部３８、及び画像記録部４０を含んで構成されている。
なお、メインコントローラ３１は、記録装置１０に設けられた図示を省略する入出力装置を介して外部装置から無線回線または有線回線を介して、記録装置１０で記録する対象の画像データを取得するものとする。この画像データは、後述する色変換部３４に入力される。
なお、色変換部３４に入力される画像データには、画像形成対象の記録媒体８の全領域の各画素のデータが含まれているものとする。すなわち、該画像データには、画像領域及び非画像領域（記録媒体８上の画像領域以外の領域）の双方に対応する画素のデータが含まれているものとする。
この各画素のデータには、各画素の記録媒体８上の位置（例えば、行方向の位置、列方向の位置）、各画素の色を示す情報（例えば、ＲＧＢデータ）が含まれているものとする。
【００６２】
制御部３２は、色変換部３４、画像処理部３６、記録データ作成部３８、及び画像記録部４０を統括制御する。なお、画像記録部４０は、図１を参照して説明した記録装置１０１のうち画像の記録に関する構成要素を含むものである。
【００６３】
ここで、本実施の形態では、インクジェット記録ヘッド１４は、１色（例えば、イエロー、マゼンタ、シアン、黒の何れか）のインク滴各々を吐出する。
このため、色変換部３４は、例えば記録媒体８やインクの特性に応じた色補正や濃度補正を行うと共に、入力された形成対象の画像の画像データがＲＧＢデータの場合は、記録装置１０に設けられたインクジェット記録ヘッド１４から吐出されるインク滴の色に応じて、該ＲＧＢデータを単色データに変換する処理を画素毎に行う。
なお、色補正処理は、一般にＬＵＴ（Ｌｏｏｋ  Ｕｐ  Ｔａｂｌｅ）と呼ばれる補正テーブルを用いて行う。
【００６４】
画像処理部３６は、画素毎に、所謂ハーフトーン処理を実行する。すなわち２５６階調等の比較的高階調のデータから、画像記録部４０で記録可能な階調数の画像データに変換する。
【００６５】
なお、本実施の形態では、インクジェット記録ヘッド１４の各々のノズルから吐出されるインク滴２０Ａの量が２階調（吐出有り、及び吐出無し）であり、湿し液吐出装置２１から吐出される湿し液２１Ａの量も２階調（吐出有り、及び吐出無し）である場合を説明するが、これらの階調に限られないことはいうまでもない。なお、このインク滴２０Ａ及び湿し液２１Ａの吐出有りのときの吐出量は、吐出量Ｘであるとする。
【００６６】
記録データ作成部３８は、画像処理部３６で画素毎に２値化された画像データを、画像記録部４０が解読可能なデータ構造に変換し、記録順序（転送順序）にデータを並び替えて画像記録部４０へ出力する。このとき、インクジェット記録ヘッド２０やノズルの配列にマッピングさせた吐出タイミングやデータ配列も考慮して記録データを作成する。
【００６７】
また、本実施形態に係る記録データ作成部３８は、湿し液データ作成部３９を含んで構成されている。湿し液データ作成部３９では、湿し液２１Ａを湿し液吐出装置２１から吐出するための湿し液データを作成する。本実施の形態では、詳細は後述するが、この湿し液データとして、粒子層１６Ａ上の、形成対象の画像の各画素に応じたインクドットの記録される対象領域に湿し液２１Ａが吐出されるように湿し液データを作成する。
【００６８】
画像記録部４０は、記録データ作成部３８に設けられた湿し液データ作成部３９で作成された湿し液データに従って、湿し液吐出装置２１のノズルから湿し液２１Ａを吐出させる。また、画像記録部４０は、記録データ作成部３８で作成された記録データに従って、インクジェット記録ヘッド２０のノズルからインク滴２０Ａを吐出させる。
これにより、中間転写体１２上の粒子層１６Ａ上に湿し液２１Ａが吐出された後に、該湿し液１２Ａによる湿し液ドット上にインク滴２０Ａが吐出される。
【００６９】
次に、本実施の形態の作用として、湿し液データ作成部３９で実行される湿し液データの作成について、図３を用いて説明する。
【００７０】
まず、ステップ１００では、湿し液データ作成部３９に設けられている図示を省略するメモリに記憶されている湿し液データを削除することによって該湿し液データの初期化を行なう。この湿し液データは、中間転写ベルト１２上に形成された粒子層１６Ａ上の、形成対象の記録媒体８に対応する領域内の各画素に応じた各領域について、吐出する湿し液の量が定義されたデータである。
本実施の形態では、湿し液の量としては、吐出有り（通常量‘Ｘ’の吐出有り）、及び吐出無し（すなわち、吐出量‘０’）、の２種類（２階調）が設定されるものとする。
【００７１】
ステップ１０２では、色変換部３４に入力され、上記画像処理部３６で二値化された画像データの各画素の内の、湿し液の吐出量算出のための選択のなされていない１の画素（例えば、画像データのｉ行ｊ列の画素）を選択する。ステップ１０２の選択は、例えば、メモリ（図示省略）に、上記画像処理部３６で二値化された画像データの各画素の内の、吐出量を示すデータが対応づけて記憶されていない画素の内の１つを選択することで可能である。
【００７２】
次のステップ１０４では、上記ステップ１０２で選択した画素が、粒子層１６Ｂに形成されたときに画像領域Ｔ（図１０参照）を形成するインクドット２０Ｂに対応する画素であるか否かを判別する。ステップ１０４の判断は、例えば、上記画像処理部３６で各画素毎に２値化された画像データの内の、上記ステップ１０２で選択した画素に対応するインクドットを記録するために吐出されるインク滴１４Ａの吐出量が通常量吐出を示す‘Ｘ’であるか否かを判別し、‘Ｘ’である場合には、画像領域Ｔに対応する画素であると判別すればよい。また、上記ステップ１０２で選択した画素に対応するインクドットを記録するために吐出されるインク滴２０Ａの吐出量が吐出無を示す“０”である場合には、非画像領域であると判別すればよい。
【００７３】
上記ステップ１０４で肯定されて、上記ステップ１０２で選択した画素が、画像領域Ｔを形成するインクドットに対応する画素である場合にはステップ１０６へ進む。
ステップ１０６では、該選択した画素に対応する領域に吐出する湿し液１２Ａの吐出量Ｔとして、湿し液２１Ａの吐出量‘Ｘ’の吐出を示す‘Ｘ’を設定する。このため、該領域に吐出される湿し液の吐出量として、該領域に吐出されるインクドットと同じ吐出量‘Ｘ’の湿し液の吐出を示す情報が、該領域の画素に対応する情報として記録される。
【００７４】
なお、本実施の形態では、湿し液２１Ａの吐出量は、湿し液２１Ａの吐出される領域に吐出されるインク滴２０Ａの吐出量と同じである場合を説明するが、これらの吐出量は同じであってもよいし、異なっていても良い。
【００７５】
次のステップ１０８では、上記ステップ１０６で設定した湿し液２１Ａの吐出量‘Ｘ’と、対応する選択した画素を示す情報（例えば、ｉ行ｊ列）と、を対応づけてメモリ（図示省略）へ記憶する。
【００７６】
次に、ステップ１１０では、色変換部３４に入力され、上記画像処理部３６で二値化された画像データの全画素について、湿し液の吐出量の設定が行なわれたか否かを判別し、否定されると、上記ステップ１０２へ戻り、肯定されると、本ルーチンを終了する。ステップ１１０の判断は、例えば、該画像データの全ての画素を示す情報の各々に、湿し液の吐出量を示す情報が対応づけてメモリ（図示省略）に記憶されているか否かを判別することによって判断される。
【００７７】
一方、上記ステップ１０４で否定されて、上記ステップ１０２で選択した画素が非画像領域である場合には、ステップ１１２へ進む。
ステップ１１２では、該ステップ１０２で選択した画素に対応する領域に吐出する湿し液２１Ａの吐出量Ｔとして、吐出無しを示す‘０’を設定する。
【００７８】
次のステップ１１４では、上記ステップ１１２で設定した湿し液２１Ａの吐出量‘０’と、対応する選択した画素を示す情報（例えば、ｉ行ｊ列）と、を対応づけてメモリ（図示省略）へ記憶した後に、上記ステップ１１０へ進む。
【００７９】
上記ステップ１００〜ステップ１１４の処理が行なわれることによって、粒子層１６Ａ上の画像領域の各画素に対応するインクドットの記録される領域には湿し液２１Ａの吐出を行ない、粒子層１６Ａ上の非画像領域には湿し液２１Ａを非吐出とすることを示す湿し液データが作成されたこととなる。
【００８０】
上述のようにして、湿し液データ作成部３９では、湿し液データが作成される。このため、画像記録部４０では、上述のように、湿し液データ作成部３９で作成された湿し液データに従って、湿し液吐出装置２１のノズルから湿し液２１Ａが吐出される。すなわち、上記ステップ１０６及びステップ１１２で設定された吐出量（‘０’または‘Ｘ’）の湿し液２１Ａが、粒子層１６Ａ上に吐出される。このため、粒子層１６Ａ上の画像領域Ｔの形成される対象領域にのみ、湿し液吐出装置２１のノズルから上記ステップ１１８で設定された吐出量Ｘの湿し液２１Ａが吐出される。
【００８１】
具体的には、図４に示すように、粒子層１６Ａ上の、形成対象の画像の各画素に応じたインクドットの記録される対象領域に湿し液２０Ａが吐出されて、図４（Ａ）に示すように湿し液ドット２１Ｂが記録される。そして、形成対象の画像の各画素に応じたインクドット２０Ｂ（図４（Ｂ））を記録するためのインク滴２０Ａが、粒子層１６Ａ上の、該各画素に対応する領域に吐出される。これによって、図４（Ｃ）に示すように、粒子層１６Ａ上に記録された湿し液ドット２１Ｂ上に重なるように、インクドット２０Ｂが記録されることとなる。
【００８２】
ここで、粒子層１６Ａに液体が吐出されると、吐出された液体は、まず粒子層１６Ａを構成する各液体受容性粒子１６内に吸収されるより速く、該粒子層１６Ａを構成する各液体受容性粒子１６間の空隙に速やかに吸収される。
すなわち、図５に示すように粒子層１６Ａに吐出された湿し液２１Ａ（図５参照）は、粒子層１６Ａの各液体受容性粒子１６の間の空隙を埋めるように該粒子層１６Ａに吸収、保持される（図６参照）。その後、空隙に保持された湿し液２１Ａは数ｍｓ〜数十ｍｓの時間にて液体受容性粒子１６内部に吸収される。すなわち、粒子層１６Ａに吸収された直後は、空隙は湿し液２１Ａにて満たされ、液体受容性粒子１６に吸収された後は、空隙は湿し液２１Ａを吸収し、膨潤した液体受容性粒子１６にて満たされる。いずれの状態でも空隙は満たされている為、空隙への浸透は抑制されるが、画質の観点からは、液体同士の混ざりによるにじみがより抑制される、空隙が膨潤した液体受容性粒子１６にて満たされている状態が好ましい。これによって、粒子層１６Ａの、湿し液２１Ａによる湿し液ドット２１Ｂの記録された領域は、液体受容性粒子１６間の空隙への液体の浸透が抑えられた状態となる。
【００８３】
そして、この粒子層１６Ａの、液体受容性粒子１６間の空隙への液体の浸透が抑えられた領域に、インク滴２０Ａが吐出される。このため、該湿し液ドット２１Ｂの形成された領域に着弾したインク滴２０Ａ中の液体成分は、インクドットの広がりが抑えられた状態で各液体受容性粒子１６内へ吸収され、インクドットの広がりが抑制される。
【００８４】
これは、以下の作用によるものと考えられる。
インク滴２０Ａ中の液体成分は、湿し液２１Ａが吐出されていない状態では粒子間の空隙に速やかに吸収された後に各液体受容性粒子１６内に吸収されるが、本実施の形態では、湿し液２１Ａによって液体受容性粒子１６間の空隙の埋められた領域にインク滴２０Ａが吐出される（図７参照）。このため、該領域に吐出されたインク滴２０Ａ中の液体成分は、液体受容性粒子１６間の空隙への浸透が抑制されて、各液体受容性粒子１６内へと吸収されていくと考えられる（図８参照）。このため、粒子層１６Ａに着弾したインク滴２０Ａ中の液体成分は、インクドット２０Ｂの広がりの抑制された状態で各液体受容性粒子１６内へ吸収される。すなわち、図５〜図８に示すように、インク滴２０Ａによるインクドット２０Ａの径（図７〜図８中、径Ａ）が、粒子層１６Ａに着弾したとき大きさ（径Ａ）より広がることが抑制され、インク滴２０Ａ中に含まれる記録材２０Ｃは、インク滴２０Ａの着弾されたときの領域内において粒子層１６Ａの表面に保持された状態となる。
【００８５】
このため、図９に示すように、粒子層１６Ａ上に湿し液２１Ａによる湿し液ドット２１Ｂを記録した後に、該湿し液ドット２１Ｂ上にインク滴２０Ａを吐出してインクドット２０Ｂを記録することで、該インクドット２０Ｂ、詳細にはインク滴２０Ａ中の記録材の広がりが抑制される。
従って、図１０に示すように、記録媒体８に転写された粒子層１６Ａによって形成された画像領域Ｔを構成する各インクドット２０Ｂの広がりや滲みが抑制され、高画質化が図れる。
【００８６】
一方、従来技術では、粒子層１６Ａに湿し液２１Ａを吐出することなく、インク滴２０Ａを吐出していた。このため、粒子層１６Ａ上に吐出されたインク滴２０Ａ（図１１参照）は、図１２〜図１３に示すように、インク滴２０Ａ中の液体成分が液体受容性粒子１６間の空隙に広がり、この広がりに伴って記録材も広がった状態となる。このため、インク滴２０Ａによって記録されるインクドット２０Ｂが広がり、最終的に、インク滴２０Ａの着弾した領域（径Ａ）より広い領域（径Ｂ）に渡ってインクドット２０Ｂ（記録剤２０Ｃ）が広がることとなる。このため、湿し液２１Ａの吐出が成されない場合には、記録媒体８に転写された粒子層１６Ａに形成された画像領域Ｔを構成する各インクドット２０Ｂは、上記インク滴２０Ａの着弾したときの大きさより大きくなり（図１４参照）、本実施の形態で記録される画像（図１０参照）に比べて画質劣化が生じると考えられる。
【００８７】
一方、本実施の形態では、粒子層１６Ａ上に湿し液２１Ａによる湿し液ドット２１Ｂを記録した後に、該湿し液ドット２１Ｂ上にインク滴２０Ａを吐出してインクドット２０Ｂを記録するため、インクドット２０Ｂが、インク滴２０Ａの粒子層１６Ａへ着弾したときの大きさより広がることが抑制され、高画質化が図れる。特に、３ポイントサイズで記録された画数の多い文字画像（例えば、図１０に示す「量」という文字や、「響」「鷹」等の文字）の形成において、文字つぶれが抑制され、特に効果的である。
【００８８】
なお、図１０では、本実施の形態の記録装置１０において形成される画像の画像領域Ｔは、文字や線図を示す領域にインク滴２０Ａによるインクドット２０Ｂを記録することで形成されるものとして説明したが、図１５に示すように、文字や線図を示す領域以外の領域にインク滴２０Ａによるインクドット２０Ｂを記録することで形成されるネガ画像（所謂、白抜き文字やネガ文字）にも好適に適用される。
【００８９】
このネガ画像についても同様に、粒子層１６Ａ上に湿し液２１Ａを吐出せずにインク滴２０Ａを吐出することで画像領域Ｔを構成した場合には、図１６に示すように、画像領域Ｔを構成する各インクドット２０Ｂの広がり（着弾したときの大きさに比べて広がった状態）が発生し、インクドット２０Ｂの非形成領域によって示される文字部分（図１６中、領域Ｓ）が想定した広さより狭まり、画質劣化が生じると考えられる。一方、本実施の形態においては、湿し液２１Ａの吐出された粒子層１６Ａにインク滴２０Ａを吐出することから、図１５に示すように、画像領域Ｔを構成する各インクドット２０Ｂの広がり（着弾したときの大きさに比べて広がった状態）が抑制され、ネガ画像についても画質向上が図れる。
【００９０】
以上説明したように、本実施の形態の記録装置１０においては、メインコントローラ３１の制御によって、中間転写体１２上に形成された粒子層１６Ａ上の形成対象の画像の各画素に応じたインクドットの記録される対象領域に、湿し液吐出装置２１から湿し液２１Ａを吐出し、該湿し液２１Ａによって記録された湿し液ドット２１Ｂ上に重なるように、インクジェット記録装置２０からインク滴２０Ａを吐出してインクドット２０Ｂを記録することで画像領域Ｔを形成する。
このため、粒子層１６Ａに先に吐出された湿し液２１Ａによって、粒子層１６Ａに吐出されたインク滴２０Ａによるインクドット２０Ｂの広がり（該インク滴２０Ａが該粒子層１６Ａに着弾されたときの大きさより広がること）が抑制される。
【００９１】
なお、本実施形態においては、インクジェット記録ヘッド２０から画像データに基づいて選択的にインク滴２０Ａが付与されて画像が記録媒体８に記録されるようになっているが、記録媒体８上への文字や画像の記録に限定されるものではない。すなわち、工業的に用いられる液滴付与（噴射）装置全般、また版を用いた転写による画像を形成する方法、スクリーン印刷による画像形成方法などにも好適に適用される。
【００９２】
また、本実施の形態では、中間転写体１２上に形成される粒子層１６Ａは、形成される画像や記録媒体８によらず中間転写体１２の外周面に一様に形成されるものとして説明したが、形成対象の画像に対応する領域にのみ液体受容性粒子１８を供給して粒子層１６Ａを形成してもよいし、形成対象の記録媒体８に対応する領域にのみ液体受容性粒子１８を供給して粒子層１６Ａを形成してもよい。
【００９３】
なお、本実施の形態では、記録装置１０は、中間転写体１２上に形成された粒子層１６Ａ上に、湿し液２１Ａ及びインク滴２０Ａを吐出する構成である場合を説明したが、記録媒体８上に形成された粒子層１６Ａ上に、湿し液２１Ａを吐出した後に、インク滴２０Ａを吐出する構成であってもよい。
【００９４】
この場合には、例えば、図１７に示す構成の記録装置１０Ｆとすればよい。
【００９５】
記録装置１０Ｆは、図１７に示すように、無端ベルト状の搬送ベルト１３を備えている。搬送ベルト１３は回転移動し、収容容器（図示略）などから送られてきた記録媒体８を搬送する。
【００９６】
まず、搬送ベルト１３によって搬送されている記録媒体８に、イオン流制御静電記録ヘッド１００（以降、「静電記録ヘッド１００」と略して記す）が、放電によるイオン流を制御して記録媒体８上に照射することによって静電潜像を形成する。この静電潜像は、記録媒体８の全領域を覆うものであってもよいし、形成対象の画像に対応する領域に形成されるものであってもよい、記録媒体８に形成された静電潜像を液体受容性粒子供給装置１８が顕像化し、液体受容性粒子１６からなる粒子層１６Ａを形成する。
【００９７】
記録媒体８に形成された粒子層１６Ａを、予備定着装置１５０が予備加熱定着する。そして、予備加熱定着された粒子層１６Ａに、湿し液吐出装置２１から湿し液２１Ａを吐出し、該湿し液２１Ａによって記録された湿し液ドット２１Ｂ上に重なるように、インクジェット記録装置２０からインク滴２０Ａを吐出してインクドット２０Ｂを記録する。そして、湿し液２１Ａ及びインク滴２０Ａの吐出された粒子層１６Ａは、定着装置２５によって圧力及び熱を加えられることにより記録媒体８上に定着される。
【００９８】
この記録装置１０Ｆについても、装置各部を制御するメインコントローラ３１が設けられており、該メインコントローラ３１において、図１の記録装置１０と同様に湿し液吐出装置２１及びインクジェット記録ヘッド２０が制御されることによって、記録媒体８上の粒子層１６Ａ上に、湿し液２１Ａを吐出した後に、該湿し液２１Ａによって記録された湿し液ドット２１Ｂ上に重なるように、インクジェット記録装置２０からインク滴２０Ａを吐出してインクドット２０Ｂを記録するようにすればよい。
【００９９】
以下、本実施の形態及び下記に示す実施形態で好適に用いる液体受容性粒子、インク、及び湿し液について、説明する。
【０１００】
液体受容性粒子１６は、インクジェット記録ヘッド２０から吐出されたインク滴２０Ａが当該粒子と接触したとき、インク成分を受容する。ここで、液体受容性とは、インク成分の少なくとも一部（少なくとも液体成分）を保持することを示す。このため、液体受容性粒子１６は、湿し液２１Ａについても受容する。
【０１０１】
この液体受容性粒子１６は、母粒子を親水性有機粒子単独の粒子（一次粒子）で構成した形態であってもよく、母粒子を少なくとも親水性有機粒子が集合した複合体粒子で構成した形態あってもよい。
【０１０２】
液体受容性粒子１６の具体的な構成としては、例えば、図１８に示すように、親水性有機粒子２０１Ａ単独の粒子（一次粒子）で構成した母粒子２０１と、母粒子２０１に付着された無機粒子２０２と、を有する液体受容性粒子２００の形態が挙げられる。
また、図１９に示すように、親水性有機粒子２０１Ａと無機粒子２０１Ｂとが複合化された複合体粒子の母粒子２０１と、母粒子２０１に付着された無機粒子２０２と、を有する液体受容性粒子２１０の形態も挙げられる。なお、この複合体粒子の母粒子は各粒子間の空隙により空隙構造が形成される。
【０１０３】
ここで、母粒子を複合体粒子で構成する場合、親水性有機粒子と他の粒子との質量比率（親水性有機粒子：他の粒子）は、例えば、他の粒子が無機粒子の場合、５：１以上１：１０以下の範囲であることが挙げられる。また、母粒子の粒径は、球換算平均粒径が例えば０．１μｍ以上５０μｍ以下（望ましくは０．５μｍ以上２５μｍ以下、より望ましくは１μｍ以上１０μｍ以下）の範囲が挙げられる。
【０１０４】
また、母粒子を複合体粒子で構成する場合、そのＢＥＴ比表面積（Ｎ２）が例えば１ｍ２／ｇ以上７５０ｍ２／ｇ以下の範囲であることが挙げられる。そして、母粒子を複合体粒子で構成する場合、複合体粒子は、例えば、粒子が半焼結状態で造粒されることで得られる。半焼結状態とは、粒子形状がある程度の残っており、当該粒子間で空隙を保持している状態を示す。なお、複合体粒子は、トラップ構造にインク液体成分がトラップされたとき、粒子の少なくとも一部が解離する、即ち複合体粒子が解体され、これを構成する粒子がばらけていてもよい。
【０１０５】
液体受容性粒子１６（２００、２１０）に含まれる親水性有機粒子２０１Ａは、例えば、全単量体成分に対する極性単量体の比率が１０ｍｏｌ％以上９０ｍｏｌ％以下であり、望ましくは１５ｍｏｌ％以上８５ｍｏｌ％以下であり、さらに望ましくは３０ｍｏｌ％以上８０ｍｏｌ％以下である有機樹脂（以下、吸液性樹脂２０４と称する）を少なくとも含んで構成されている。親水性有機粒子２０１Ａが吸液性樹脂２０４を含むことで、この吸液性樹脂２０４に吸液されたインク液体成分（例えば水、水性溶媒）が樹脂（ポリマー）の可塑剤として作用するため、液体受容性粒子１６（２００、２１０）自体が軟化して定着性に寄与する。
【０１０６】
この吸液性樹脂２０４は、弱吸液性樹脂であることが好適である。この弱吸液性樹脂とは、例えば液体として水を吸収する場合、樹脂質量に対して数％（≒５％）から数百％（≒５００％）、望ましくは５％以上１５０％以下程度の吸液が可能な親液性樹脂を意味する。吸液性樹脂２０４としては、例えば、親水性単量体の単独重合体、或いは親水性単量体と疎水性単量体との両単量体から構成された共重合体で構成されるが、弱吸液性樹脂とするためには当該共重合体が望ましい。なお、単量体だけでなく、ポリマー／オリゴマー構造などのユニットをスタートに他のユニットを共重合させるグラフト共重合体やブロック共重合体でもよい。
【０１０７】
親水性有機粒子２０１Ａの粒径は、その一次粒子を母粒子とする場合、球換算平均粒径が例えば０．１μｍ以上５０μｍ以下（望ましくは０．５μｍ以上２５μｍ以下、より望ましくは１μｍ以上１０μｍ以下）の範囲が挙げられる。一方、複合体粒子を構成する場合、例えば球換算平均粒径で１０ｎｍ以上３０μｍ以下（望ましくは５０ｎｍ以上１０μｍ以下、より望ましくは０．１μｍ以上５μｍ以下）の範囲が挙げられる。
【０１０８】
親水性有機粒子２０１Ａの液体受容性粒子１６（２００、２１０）全体に対する比率は、例えば質量比で７５％以上望ましくは８５％以上であり、より望ましくは９０％以上９９％以下）の範囲が挙げられる。
【０１０９】
次に、親水性有機粒子２０１Ａと共に複合粒子を構成する無機粒子、及び母粒子に付着させる無機粒子２０２としては、非多孔質粒子、多孔質粒子のいずれを使用してもよい。無機粒子としては、無色、淡色或いは白色の粒子（例えば、コロイダル・シリカ、アルミナ、炭酸カルシウム、酸化亜鉛、酸化チタン、酸化スズ等）が挙げられる。複合体粒子を構成する無機粒子２０２の粒径は、例えば球換算平均粒径で１０ｎｍ以上３０μｍ以下（望ましくは５０ｎｍ以上１０μｍ以下、より望ましくは０．１μｍ以上５μｍ以下）の範囲が挙げられる。一方、母粒子に付着させる無機粒子の粒径は、例えば球換算平均粒径で１０ｎｍ以上１μｍ以下（望ましくは１０ｎｍ以上０．１μｍ以下、より望ましくは１０ｎｍ以上０．０５μｍ以下）の範囲が挙げられる。
【０１１０】
また、液体受容性粒子１６（２００、２１０）には、インクの成分を凝集又は増粘させる成分を含むことが望ましい。この機能を有する成分は、上記吸液性樹脂２０４の官能基として含んでもよいし、化合物として含んでもよい。当該官能基としては、例えば、カルボン酸、多価金属カチオン、ポリアミン類等などが挙げられる。
【０１１１】
この液体受容性粒子１６（２００、２１０）には、粒子保持剤が含まれていることがよい。粒子保持剤は、上記吸液性樹脂２０４に含ませてもよいし、親水性有機粒子２０１Ａと共に粒子保持剤の粒子を複合化して含ませてもよい。
【０１１２】
この粒子保持剤としては、例えば、ポリエチレン、ポリプロピレン、ポリブテン等の低分子量ポリオレフィン類；加熱により軟化点を有するシリコーン類；オレイン酸アミド、エルカ酸アミド、リシノール酸アミド、ステアリン酸アミド等の脂肪酸アミド類；カルナウバワックス、ライスワックス、キャンデリラワックス、木ロウ、ホホバ油等の植物系ワックス；ミツロウ等の動物系ワックス；モンタンワックス、オゾケライト、セレシン、パラフィンワックス、マイクロクリスタリンワックス、フィッシャートロプシュワックス等の鉱物・石油系ワックス；及びそれらの変性物などが挙げられる。これらの中でも結晶性化合物を適用することがよい。
【０１１３】
次に、インクについて詳細に説明する。
【０１１４】
インクは水性インクが使用される。水性インク（以下、単にインクと称する）は、記録材に加え、インク溶媒（例えば、水、水溶性有機溶媒）を含んでいる。また、必要に応じて、その他、添加剤を含んでいてもよい。
【０１１５】
記録材としては、主に色材が挙げられる。色材としては、染料、顔料のいずれを用いても良いが、顔料であることがよい。顔料としては有機顔料、無機顔料のいずれも使用でき、黒色顔料ではファーネスブラック、ランプブラック、アセチレンブラック、チャンネルブラック等のカーボンブラック顔料等が挙げられる。黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等を使用してもよい。また、本発明のために、新規に合成した顔料でも構わない。また、シリカ、アルミナ、又は、ポリマービード等をコアとして、その表面に染料又は顔料を固着させた粒子、染料の不溶レーキ化物、着色エマルション、着色ラテックス等を顔料として使用することも可能である。
【０１１６】
色材として顔料を使用した場合には、併せて顔料分散剤を用いることが望ましい。使用可能な顔料分散剤としては、高分子分散剤、アニオン性界面活性剤、カチオン性界面活性剤、両性界面活性剤、ノニオン性界面活性剤等が挙げられる。
【０１１７】
また、色材として水に自己分散可能な顔料を用いてもよい。水に自己分散可能な顔料とは、顔料表面に水に対する可溶化基を数多く有し、高分子分散剤が存在しなくとも水中で分散する顔料のことを指す。具体的には、通常のいわゆる顔料に対して酸・塩基処理、カップリング剤処理、ポリマーグラフト処理、プラズマ処理、酸化／還元処理等の表面改質処理等を施すことにより、水に自己分散可能な顔料が得られる。
【０１１８】
記録材としては、その他、親水性のアニオン染料、直接染料、カチオン染料、反応性染料、高分子染料等や油溶性染料等の染料類、染料で着色したワックス粉・樹脂粉類やエマルション類、蛍光染料や蛍光顔料、赤外線吸収剤、紫外線吸収剤、フェライトやマグネタイトに代表される強磁性体等の磁性体類、酸化チタン、酸化亜鉛に代表される半導体や光触媒類、その他有機、無機の電子材料粒子類などを用いても良い。
【０１１９】
記録材の含有量（濃度）は、例えばインクに対して５質量％以上３０質量％以下が挙げられる。記録材の体積平均粒径は、例えば１０ｎｍ以上１０００ｎｍ以下であることが挙げられる。
【０１２０】
記録材の体積平均粒径とは、記録材そのものの粒径、又は記録材に分散剤等の添加物が付着している場合には、添加物が付着した粒径をいう。体積平均粒径の測定装置には、マイクロトラックＵＰＡ粒度分析計  ９３４０  （  Ｌｅｅｄｓ＆Ｎｏｒｔｈｒｕｐ社製  ）を用いた。その測定は、インク４ｍｌを測定セルに入れ、所定の測定法に従って行った。なお、測定時の入力値として、粘度にはインクの粘度を、分散粒子の密度は記録材の密度とした。
【０１２１】
インク溶媒としての水溶性有機溶媒には、多価アルコール類、多価アルコール類誘導体、含窒素溶媒、アルコール類、含硫黄溶媒等が使用される。
【０１２２】
また、インク溶媒としての水には、特に不純物が混入することを防止するため、イオン交換水、超純水、蒸留水、限外濾過水を使用することが望ましい。
【０１２３】
上記インクには、その他、界面活性剤や、浸透性を調整する目的で浸透剤、インク吐出性改善等の特性制御を目的でポリエチレンイミン、ポリアミン類、ポリビニルピロリドン、ポリエチレングリコール、エチルセルロース、カルボキシメチルセルロース等や、導電率、ｐＨを調整するために水酸化カリウム、水酸化ナトリウム、水酸化リチウムなどのアルカリ金属類の化合物等、その他必要に応じ、ｐＨ緩衝剤、酸化防止剤、防カビ剤、粘度調整剤、導電剤、紫外線吸収剤、及びキレート化剤等を添加してもよい。
【０１２４】
次に、インクの好適な特性について説明する。まず、インクの表面張力は、２０ｍＮ／ｍ以上４５ｍＮ／ｍ以下であることが挙げられる。ここで、インクの表面張力としては、ウイルヘルミー型表面張力計（協和界面科学株式会社製）を用い、２３℃、５５％ＲＨの環境において測定した値を採用した。
【０１２５】
インクの粘度は、１．５ｍＰａ・ｓ以上３０ｍＰａ・ｓ以下であることが挙げられる。インクの粘度としては、レオマット１１５（Ｃｏｎｔｒａｖｅｓ製）を測定装置として用いて、測定温度は２３℃、せん断速度は１４００ｓ−１の条件で測定した値を採用した。
【０１２６】
湿し液２１Ａは、粒子層１６Ａを湿らせる液体であって、この湿し液２１Ａが吐出されることで、粒子層１６Ａにおけるインク滴２０Ａによるドットの広がりが効果的に抑制される。すなわち、湿し液２１Ａは、結果的に、インクの広がりを抑制する機能を有する。
ただし、ここで言うインクの広がりを抑制する機能とは、インクが液体受容性粒子間の空隙への浸透を抑制する機能であり、湿し液２１Ａを付与することにより液体受容性粒子１６（粒子層１６Ａ）自身に発現する機能である。すなわち湿し液２１Ａとインク自体が反応性を示すことは必ずしも必要ではない。ここでいう反応性とは湿し液２１Ａとインクをたとえば等量混ぜ合わせたときに、物性値が大きく変化する、分離、色材の沈殿が生じる等の現象をいう。
【０１２７】
湿し液２１Ａとしては、上記機能を有し、また、インク滴２０Ａによって形成される画像の色相に影響を与えない色相であれば有色及び透明の何れであっても良いが透明（可視領域の波長の光に対する透過率が５０％以上））であることが望ましい。
また、湿し液２１Ａは、インク滴２０Ａに用いられるインクと同程度、もしくはそれ以上に、液体受容性粒子１８の粘着力を発現させる性質を有していることが望ましい。ここでいうより「粘着力を発現させる性質」とは、液体受容性粒子１８に同じ粘着力を発現させるのに必要な液滴の量がより少ないということを意味している。
【０１２８】
湿し液２１Ａとしては、例えば、上記インクの構成材料から記録材を除いた構成が挙げられる。なお、湿し液１２Ａは、単なる水であっても構わないが、湿し液吐出装置２１から液滴として吐出させることを考慮すると、粘度、表面張力等の物性値は、インクに近いことが好ましい。
【０１２９】
具体的には、この湿し液２１Ａの粘度の表面張力は、例えば２０ｍＮ／ｍ以上４５ｍＮ／ｍ以下の範囲が挙げられる。この表面張力は、インクと同じ方法で測定した値である。
また、この湿し液２１Ａの粘度は、１．５ｍＰａ・ｓ以上３０ｍＰａ・ｓ以下、望ましくは１．５ｍＰａ・ｓ以上２０ｍＰａ・ｓ以下の範囲が挙げられる。ヘッド吐出性の観点からは、湿し液２１Ａの粘度は２０ｍＰａ・ｓ以下が望ましい。この粘度は、インクと同じ方法で測定した値である。
【０１３０】
この湿し液２１Ａの液体受容性粒子１８に対する吸収速度は、インク滴２０Ａに比べて速い事が、印字プロセス速度向上の理由から望ましい。
これは、インク滴２０Ａのドット広がりを抑制する為にはインク滴２０Ａが着弾する前に、湿し液２１Ａがある程度液体受容性粒子１８に吸液されている必要があり、この吸液されるまので時間を確保する必要があるからである。
この湿し液２１Ａの液体受容性粒子１８に対する吸収速度を、インク滴２０Ａに比べて速くなるように調整するためには、湿し液２１Ａの表面張力、導電率、粘度を下げればよい。
表面張力を下げるには界面活性剤の種類や量を変更することによって容易に調整される。また、導電率を下げるには電解質の量を低減することによって容易に調整される。粘度を下げるには不揮発性、低揮発性溶媒の量の低減や、高分子量物質の量を減らすことによって容易に調整される。
【０１３１】
なお、上記インク及び湿し液としては、具体的には、表１に示す組成が挙げられる。なお、表１中、％は、質量％を示している。なお、第１の実施の形態〜第３の実施の形態では、ここで挙げた各色インクの中から１色を用いればよい。また、第４の実施の形態では、表１に挙げた４色のインクを用いればよい。
【０１３２】
【表１】
2010201777.tif 000003
【０１３３】
（第２の実施の形態）
上記第１の実施の形態では、粒子層１６Ａ上に吐出された湿し液２１Ａによる湿し液ドット２１Ｂ上に重なるようにインク滴２０Ａを吐出してインクドット２０Ｂを記録する場合を説明した。本実施の形態では、粒子層１６Ａ上に形成される画像領域Ｔ中の、少なくとも異なる２方向に連続してドットの記録される連続領域（以下、ベタ領域と称する）の周縁部に対応する領域には湿し液２１Ａを吐出し、該ベタ領域中の周縁部以外の領域（非周縁縁部）には湿し液２１Ａを非吐出とした形態を説明する。
【０１３４】
第２の実施の形態に係る記録装置１０Ａは、図２０に示すように、中間転写体１２、帯電装置２８、粒子供給装置１８、平坦化装置３０、湿し液吐出装置２１、インクジェット記録ヘッド２０、転写装置２２、クリーニング装置２４、定着装置２５、及びメインコントローラ３１Ａを含んで構成されている。
この記録装置１０Ａの構成は、第１の実施の形態で説明した記録装置１０におけるメインコントローラ３１に替えて、メインコントローラ３１Ａが設けられている以外は同じ構成であるため、同一部分には同一符号を付与して詳細な説明を省略する。メインコントローラ３１Ａは、記録装置１０Ａに設けられた装置各部を制御し、図示は省略するが装置各部に信号授受可能に接続されている。
【０１３５】
なお、記録装置１０Ａが本発明の記録装置に相当する。
【０１３６】
図２１に示すように、メインコントローラ３１Ａは、制御部３２Ａ、色変換部３４、画像処理部３６、記録データ作成部４２、及び画像記録部４０を含んで構成される。
本実施の形態のメインコントローラ３１Ａは、第１の実施の形態で説明したメインコントローラ３１の制御部３２及び記録データ作成部３８に替えて、制御部３２Ａ及び記録データ作成部４２が設けられている以外は、第１の実施の形態で説明したメインコントローラ３１と同じ構成であるため、同じ構成部分には同一符号を付与して詳細な説明を省略する。
【０１３７】
制御部３２Ａは、色変換部３４、画像処理部３６、記録データ作成部４２、及び画像記録部４０を統括制御する。記録データ作成部４２は、画像処理部３６で画素毎に２値化された画像データを画像記録部４０が解読可能なデータ構造に変換し、記録順序（転送順序）にデータを並び替えて画像記録部４０へ出力する。このとき、インクジェット記録ヘッドやノズルの配列にマッピングさせた吐出タイミングやデータ配列も考慮して記録データを作成する。また、本実施形態に係る記録データ作成部４２は、湿し液データ作成部４１を含んで構成されている。
【０１３８】
湿し液データ作成部４１は、湿し液２１Ａを湿し液吐出装置２１から吐出するための湿し液データを作成する。本実施の形態では、詳細は後述するが、この湿し液データとして、粒子層１６Ａ上に形成される画像領域Ｔ中のベタ領域の周縁部に対応する領域に湿し液２１Ａを吐出し、該ベタ領域中の該周縁部以外の非周縁部領域には湿し液２１Ａを非吐出とするように、湿し液データを作成する。
【０１３９】
この「ベタ領域」とは、図２３に示すように、形成対象の画像領域Ｔ中の、少なくとも異なる２方向（例えば、図２３中、ｉ行方向とｊ列方向）に連続してインクドットが記録される領域である（図２３のベタ領域ＴＡ参照）。また、この「ベタ領域の周縁部に対応する領域」とは、少なくとも該ベタ領域と非画像領域との境界から該ベタ領域側に向かって少なくとも１つのインクドット分連続した位置に記録されるインクドットに対応する領域である。
【０１４０】
なお、本実施の形態では、このベタ領域の周縁部に対応する領域は、ベタ領域と非画像領域との境界からベタ領域側に１つ連続した位置に記録されるインクドットに対応する領域である場合を説明するが、ベタ領域を形成するインクドットの数に応じて、該境界からベタ領域側に向かって連続する２つまたは３つ以上のインクドットに対応する領域を、ベタ領域の周縁部に対応する領域としてもよい。
【０１４１】
次に、湿し液データ作成部４２で実行される湿し液データの作成について、図２２を用いて説明する。
【０１４２】
まず、ステップ２００では、湿し液データ作成部４２に設けられている図示を省略するメモリに記憶されている湿し液データを削除することによって、該湿し液データの初期化を行なう。本実施の形態では、第１の実施の形態と同様に、湿し液の量としては、吐出有り（通常量Ｘの吐出有り）、及び吐出無し（すなわち、吐出量‘０’）、の２種類（２階調）が設定されるものとする。
【０１４３】
ステップ２０２では、上記ステップ１０２と同様に、色変換部３４に入力され、上記画像処理部３６で二値化された画像データの各画素の内の、湿し液の吐出量算出のための選択のなされていない１の画素（例えば、画像データのｉ行ｊ列の画素）を選択する。
【０１４４】
次のステップ２０４では、上記ステップ２０２で選択した画素が、粒子層１６Ｂに形成されたときに画像領域Ｔ（図２３参照）を形成するインクドットに対応する画素であるか否かを判別する。ステップ２０４の判断は、上記ステップ１０４と同じ方法を用いればよい。
【０１４５】
上記ステップ２０４で肯定されて、上記ステップ２０２で選択した画素が、画像領域Ｔを形成するインクドットに対応する画素である場合にはステップ２０６へ進む。
【０１４６】
ステップ２０６では、上記ステップ２０２で選択した画素が、画像領域Ｔ内の、ベタ領域ＴＡ内に相当する画素であるか否かを判別する。ステップ２０６の判断は、例えば、図２３に示すように、上記画像処理部３６で画素毎に２値化された画像データの内の、上記ステップ２０２で選択した画素に対応するインクドット、及び該インクドットから少なくとも２方向に連続した位置に設けられるインクドットの全てについて、インク滴１４Ａの吐出量が通常量吐出を示す‘Ｘ’であるか否かを判別し、全て‘Ｘ’である場合には、ベタ領域ＴＡ内に対応する画素であると判断すればよい。
【０１４７】
上記ステップ２０６で否定されて、画像領域Ｔ内のベタ領域ＴＡ以外の領域である場合には、後述するステップ２１０へ進む。一方、ステップ２０６で肯定されて、上記ステップ２０２で選択した画素が、画像領域Ｔ内のベタ領域ＴＡ内に相当する画素である場合には、ステップ２０８へ進む。
ステップ２０８では、ステップ２０２で選択した画素が、該ベタ領域ＴＡの周縁部に相当する画素であるか否かを判別する。ステップ２０８の判断は、例えば、上記ステップ２０２で選択した画素に対応するインクドットの少なくとも１方向に連続した位置に設けられるインクドットが、インク滴１４Ａの吐出無しを示す‘０’であるか否かを判別し、‘０’である場合には、ベタ領域ＴＡの周縁部に対応する画素であると判断すればよい。
【０１４８】
ステップ２０８で肯定された場合、及び上記ステップ２０６で否定された場合、ステップ２１０へ進み、該ステップ２０２で選択した画素に対応する領域に吐出する湿し液１２Ａの吐出量Ｔとして、湿し液２１Ａの吐出量Ｘの吐出を示す‘Ｘ’を設定する。このため、画像領域Ｔ中のベタ領域ＴＡ以外の領域、及びベタ領域ＴＡの周縁部に対応する領域に対応する画素について、湿し液２１Ａの吐出量Ｘの吐出を示す‘Ｘ’が設定される。
【０１４９】
次のステップ２１４では、上記ステップ２１０設定した湿し液２１Ａの吐出量Ｘと、対応する選択した画素を示す情報（例えば、ｉ行ｊ列）と、を対応づけてメモリ（図示省略）へ記憶する。
【０１５０】
次に、ステップ２１４では、色変換部３４に入力され、上記画像処理部３６で二値化された画像データの全画素について、湿し液の吐出量の設定が全て行なわれているか否かを判別し、否定されると、上記ステップ２０２へ戻り、肯定されると、本ルーチンを終了する。ステップ２１４の判断は、上記ステップ１１０と同様にして行なえばよい。
【０１５１】
一方、上記ステップ２０４、及び上記ステップ２０８で否定されると、ステップ２１６へ進む。ステップ２１６では、ステップ２０２で選択した画素に対応する領域に吐出する湿し液２１Ａの吐出量Ｔとして、吐出無しを示す‘０’を、湿し液２１Ａの吐出量Ｔとして設定する。このため、画像領域Ｔ以外の非画像領域、及びベタ領域ＴＡ中の周縁部以外の領域に対応する画素について、湿し液２１Ａの吐出無しを示す‘０’が設定される。
【０１５２】
次のステップ２１８では、上記ステップ２１６で設定した湿し液２１Ａの吐出量Ｔと、対応する選択した画素を示す情報（例えば、ｉ行ｊ列）と、を対応づけてメモリ（図示省略）へ記憶した後に、上記ステップ２１４へ進む。
【０１５３】
上記ステップ２０４〜ステップ２１２の処理によって、粒子層１６Ａ上の画像領域Ｔ中のベタ領域ＴＡ以外及びベタ領域ＴＡの周縁部に対応する領域に対応する画素に応じたインクドットの記録される領域には、吐出量Ｘの湿し液１２Ａを吐出し、画像領域Ｔ以外の非画像領域及びベタ領域ＴＡ中の周縁部以外の領域に対応する画素に応じたインクドットの記録される領域には、湿し液２１Ａを非吐出とすることを示す湿し液データが作成されたこととなる。
【０１５４】
上述のように、この湿し液データ作成部４２で作成された湿し液データに従って、画像記録部４０により湿し液吐出装置２１から湿し液２１Ａが吐出される。このため、図２３に示すように、粒子層１６Ａ上の、画像領域Ｔ中のベタ領域ＴＡ以外の領域ＴＡ３、及びベタ領域ＴＡ中の周縁部ＴＡ２には、吐出量Ｘの湿し液２１Ａが吐出される。また、非画像領域Ｓ及びベタ領域ＴＡ中の周縁部ＴＡ２以外の領域ＴＡ１には、湿し液２１Ａは吐出されない。そして、この湿し液２１Ａが吐出された後に、形成対象の画像の各画素に応じたインクドットを記録するためのインク滴２０Ａが吐出されてインクドット２１Ａが記録される。
【０１５５】
このため、ベタ領域ＴＡについては、ベタ領域ＴＡの周縁部ＴＡ２に対応する領域のみに湿し液２１Ａが吐出される（図２４（Ａ）参照）。そして、次に、図２４（Ｂ）に示すようなベタ画像ＴＡを形成するためのインク滴２０Ａが吐出されてインクドット２０Ｂが記録される。このため、ベタ領域ＴＡの周縁部を構成するインクドット２０Ｂのみが、湿し液ドット２１Ｂ上に重ねて形成されることとなる（図２４（Ｃ）参照）。
【０１５６】
従って、湿し液ドット２１Ｂ上に重ねて形成されたインクドット２０Ｂの広がりが抑制され、ベタ領域ＴＡの内側（周縁部以外の領域）についてはインクドット２０Ｂ広がり、好適なベタ画像が形成されることとなる。また、湿し液２１Ｂの消費量が低減されつつ、画質向上も図れることとなる。
【０１５７】
（第３の実施の形態）
上記第１の実施の形態及び第２の実施の形態では、インクジェット記録ヘッド２０によるインク滴２０Ａの吐出によって粒子層１６Ａ上に形成される画像領域Ｔ以外の非画像領域Ｓには湿し液２１Ａを非吐出とする場合を説明した。
一方、本実施の形態では、画像領域Ｔには湿し液２１Ａを非吐出とし、非画像領域Ｓの内の少なくとも画像領域に連続する領域に湿し液２１Ａを吐出する場合を説明する。
【０１５８】
第３の実施の形態に係る記録装置１０Ｂは、図２５に示すように、中間転写体１２、帯電装置２８、粒子供給装置１８、平坦化装置３０、湿し液吐出装置２１、インクジェット記録ヘッド２０、転写装置２２、クリーニング装置２４、定着装置２５、及びメインコントローラ３１Ｂを含んで構成されている。
この記録装置１０Ｂの構成は、第１の実施の形態で説明した記録装置１０におけるメインコントローラ３１に替えて、メインコントローラ３１Ｂが設けられている以外は同じ構成であるため、同一部分には同一符号を付与して詳細な説明を省略する。メインコントローラ３１Ｂは、記録装置１０Ｂに設けられた装置各部を制御し、図示は省略するが装置各部に信号授受可能に接続されている。
【０１５９】
なお、記録装置１０Ｂが本発明の記録装置に相当する。
【０１６０】
図２６に示すように、メインコントローラ３１Ｂは、制御部３２Ｂ、色変換部３４、画像処理部３６、記録データ作成部４４、及び画像記録部４０を含んで構成される。
本実施の形態のメインコントローラ３１Ｂは、第１の実施の形態で説明したメインコントローラ３１の制御部３２及び記録データ作成部３８に替えて、制御部３２Ｂ及び記録データ作成部４４が設けられている以外は、第１の実施の形態で説明したメインコントローラ３１と同じ構成であるため、同じ構成部分には同一符号を付与して詳細な説明を省略する。
【０１６１】
制御部３２Ｂは、色変換部３４、画像処理部３６、記録データ作成部４４、及び画像記録部４０を統括制御する。記録データ作成部４４は、画像処理部３６で画素毎に２値化された画像データを画像記録部４０が解読可能なデータ構造に変換し、記録順序（転送順序）にデータを並び替えて画像記録部４０へ出力する。このとき、インクジェット記録ヘッドやノズルの配列にマッピングさせた吐出タイミングやデータ配列も考慮して記録データを作成する。また、本実施形態に係る記録データ作成部４４は、湿し液データ作成部４６を含んで構成されている。
【０１６２】
湿し液データ作成部４６は、湿し液を湿し液吐出装置２１から吐出するための湿し液データを作成する。本実施の形態では、詳細は後述するが、この湿し液データとして、粒子層１６Ａ上に形成される画像領域Ｔ以外の非画像領域の内の少なくとも画像領域に連続する領域（以下、連続領域と称する）に湿し液２１Ａを吐出し、非画像領域の内の該連続領域以外の領域と、画像領域Ｔには湿し液２１Ａを非吐出とするように、湿し液データを作成する。
【０１６３】
次に、湿し液データ作成部４４で実行される湿し液データの作成について、図２７を用いて説明する。
【０１６４】
まず、ステップ３００では、湿し液データ作成部４４に設けられている図示を省略するメモリに記憶されている湿し液データを削除することによって該湿し液データの初期化を行なう。本実施の形態では、第１の実施の形態と同様に、湿し液の量としては、吐出有り（通常量Ｘの吐出有り）、及び吐出無し（すなわち、吐出量‘０’）、の２種類（２階調）が設定されるものとする。
【０１６５】
ステップ３０２では、上記ステップ１０２と同様に、色変換部３４に入力され、上記画像処理部３６で二値化された画像データの各画素の内の、湿し液の吐出量算出のための選択のなされていない１の画素（例えば、画像データのｉ行ｊ列の画素）を選択する。
【０１６６】
次のステップ３０４では、上記ステップ３０２で選択した画素が、粒子層１６Ｂに形成されたときに画像領域Ｔを形成するインクドットに対応する画素であるか否かを判別する。ステップ３０４の判断は、上記ステップ１０４と同じ方法を用いればよい。
【０１６７】
上記ステップ３０４で肯定されて、上記ステップ３０２で選択した画素が、画像領域Ｔを形成するインクドットに対応する画素である場合にはステップ３０６へ進む。
【０１６８】
ステップ３０６では、該選択した画素に対応する領域に吐出する湿し液１２Ａの吐出量Ｔとして、湿し液２１Ａの吐出無しを示す‘０’を設定する。次のステップ３０８では、上記ステップ３０６設定した湿し液２１Ａの吐出無しを示す情報‘０’と、対応する選択した画素を示す情報（例えば、ｉ行ｊ列）と、を対応づけてメモリ（図示省略）へ記憶する。
【０１６９】
次に、ステップ３１０では、色変換部３４に入力され、上記画像処理部３６で二値化された画像データの全画素について、湿し液の吐出量の設定が全て行なわれているか否かを判別し、否定されると、上記ステップ３０２へ戻り、肯定されると、本ルーチンを終了する。ステップ３１０の判断は、上記ステップ１１０と同様にして行なえばよい。
【０１７０】
一方、上記ステップ３０４で否定されると、ステップ３１１へ進み、ステップ３０２で選択した画素に対応する領域が、非画像領域の内の、画像領域に連続する領域であるか否かを判別する。この「非画像領域の内の画像領域に連続する領域」とは、例えば、非画像領域の内の画像領域Ｔに連続する画素に対応する領域であればよく、該画像領域Ｔに連続する１つの画素であってもよいし、２つ以上の画素であってもよく、連続する数は適宜定めればよい。
【０１７１】
ステップ３１１で肯定されて、ステップ３０２で選択した画素が連続領域である場合には、ステップ３１２へ進み、否定された場合には上記ステップ３０６へ進む。ステップ３１２では、ステップ３０２で選択した画素に対応する領域に吐出する湿し液２１Ａの吐出量Ｔとして、湿し液２１Ａの吐出量Ｘの吐出を示す‘Ｘ’を設定する。次のステップ３１４では、上記ステップ３１２で設定した湿し液２１Ａの吐出量と、対応する選択した画素を示す情報（例えば、ｉ行ｊ列）と、を対応づけてメモリ（図示省略）へ記憶した後に、上記ステップ３１０へ進む。
【０１７２】
なお、本実施の形態では、湿し液２１Ａの吐出量は、インク滴２０Ａの吐出量と同じ量（吐出量‘Ｘ’）であるとして説明するが、同じ量に限られない。
【０１７３】
上記ステップ３００〜ステップ３１４の処理が実行されることによって、粒子層１６Ａ上の画像領域Ｔには湿し液２１Ａを非吐出とし、非画像領域Ｓの内の画像領域に連続する連続領域には湿し液２１Ａを吐出することを示す湿し液データが作成されたこととなる。
【０１７４】
上述のようにして、湿し液データ作成部４４では、湿し液データが作成される。このため、画像記録部４０では、上述のように、湿し液データ作成部４４で作成された湿し液データに従って、湿し液吐出装置２１のノズルから湿し液２１Ａが吐出されることによって、粒子層１６Ａ上の非画像領域Ｓ中の、該連続領域にのみ湿し液２１Ａが吐出される。
【０１７５】
すなわち、粒子層１６Ａ上にインク滴２０Ａが吐出される前に、該粒子層１６Ａ上の非画像領域中の該連続領域には湿し液２１Ａが吐出された状態となっている（図２８参照）。この湿し液２１Ａは、図２９に示すように、粒子層１６Ａを構成する各液体受容性粒子１６に吸収されるより速く、該粒子層１６Ａを構成する各液体受容性粒子１６間の空隙に速やかに吸収される。このため、粒子層１６Ａには、湿し液２１Ａ（湿し液ドット２１Ｂ）によって液体受容性粒子１６間の空隙の埋められた領域と、該空隙の埋められていない領域（すなわち湿し液ドット２１Ｂの記録されていない領域）と、が形成された状態となる。
【０１７６】
そして、画像領域Ｔにインク滴２０Ａが吐出されることによって、図３０に示すように、この湿し液ドット２１Ｂの記録された領域に連続する領域に、インク滴２０Ａが吐出されることになる。インク滴２０Ａ中の液体成分は、湿し液２１Ａが吐出されていない状態では粒子間の空隙に速やかに吸収された後に各液体受容性粒子１６に吸収されるため、粒子層１６Ａに着弾したインク滴２０Ａは、既に該粒子間の空隙が湿し液２１Ａによって埋められた状態にある湿し液ドット２１Ｂの形成された領域に広がることが抑制される。このため、結果的に、インク滴２０Ａ中の記録材２０Ｃが、インク滴２０Ａの着弾された領域内において粒子層１６Ａの表面に保持された状態となる（図３１参照）。
【０１７７】
このため、インク滴２０Ａ中の記録材の広がりが抑制される。従って、記録媒体８に転写された粒子層１６Ａによって形成された画像領域Ｔを構成する各インクドット２０Ｂの広がりや滲みが抑制される。
【０１７８】
なお、上記実施の形態では、非画像領域中の、画像領域に連続する連蔵領域にのみ湿し液２１Ａを吐出する場合を説明したが、非画像領域の全領域に湿し液２１Ａを吐出してもよい。
【０１７９】
なお、上記実施の形態では、非画像領域中の連続領域に吐出される湿し液２１Ａの吐出量（単位面積当たりの吐出量）は、インク滴２０Ａの吐出量（単位面積当たりの吐出量）と同じである場合を説明したが、この連続領域に吐出される湿し液２１Ａの吐出量は、インク滴２０Ａの吐出量より少ない量であることが、更なる高画質化を図る観点から望ましい。
【０１８０】
この場合には、例えば、湿し液データ作成部４６において、図２７で説明したステップ３１２の連続領域の湿し液吐出量を設定する処理において、湿し液２１Ａの吐出量として、インク滴２０Ａの吐出量‘Ｘ’より少ない吐出量‘Ｙ’を設定すればよい。
【０１８１】
この吐出量‘Ｙ’としては、該吐出量Ｙの吐出によって形成される凝集液ドット２１Ｂの大きさ（径）が、吐出量Ｘの吐出によって形成されるインクドット２０Ｂのドットピッチ（インクドットの中間間の距離）の±３０％以下となるような吐出量であることが望ましい。
【０１８２】
このようにすれば、図３２（Ａ）に示すように、粒子層１６Ａ上にインク滴２０Ａが吐出される前に、該粒子層１６Ａ上の非画像領域中の画像領域Ｔに連続する領域Ｓ１に、インク滴２０Ａより少ない吐出量で湿し液２１Ａが吐出される。この湿し液２１Ａは、図３２（Ｂ）に示すように、粒子層１６Ａを構成する各液体受容性粒子１６に吸収されるより速く、該粒子層１６Ａを構成する各液体受容性粒子１６間の空隙に速やかに吸収される。これによって、粒子層１６Ａ上に湿し液２１Ａによる湿し液ドット２１Ｂが記録された状態となる。
【０１８３】
そして、この粒子層１６Ａ上にインク滴２０Ａが吐出されることで、図３２（Ｃ）に示すように、湿し液ドット２１Ｂに連続する領域にインク滴２０Ａが吐出されることとなる。このとき、この粒子層１６Ａ上に吐出されたインク滴２０Ａは、湿し液ドット２１Ｂの記録された領域に広がる前に、未だ液体受容性粒子１８間の空隙が埋まっていない状態である該インク滴２０Ａの着弾された領域内の該空隙に速やかに吸収される（図３２（Ｄ）参照）。このため、インク滴２０Ａ中の記録材が、該インク滴２０Ａの着弾された領域から広がることが抑制される。また、この形態は、特に、線画像等の画像形成時における高画質化に特に効果的である。
【０１８４】
また、この湿し液２１Ａの吐出量を、インク滴２０Ｂの吐出量より少ない値の範囲内で調整することで、湿し液２１Ａの吐出によって形成された湿し液ドット２１Ｂによる液体受容性粒子１８間の空隙が液体によって埋められていない領域と、該空隙が液体によって埋められている領域と、の界面の位置調整が容易となり、容易に形成されるインクドットの大きさが容易に調整されることとなる。結果的に、印字解像度に近い線画品質が得られる。
【０１８５】
（第４の実施の形態）
上記実施の形態では、インクジェット記録ヘッド２０として、単色のインク滴２０Ａと吐出する場合を説明したが、本実施の形態では、インクジェット記録ヘッド２０が、互いに異なる色（異なる光学濃度）のインク滴を吐出する複数のインクジェット記録ヘッドを含んだ構成である場合を説明する。
【０１８６】
図３３に示すように、本実施の形態の記録装置１０Ｃは、図３３に示すように、中間転写体１２、帯電装置２８、粒子供給装置１８、平坦化装置３０、湿し液吐出装置２１、インクジェット記録ヘッド２０、転写装置２２、クリーニング装置２４、定着装置２５、及びメインコントローラ３１を含んで構成されている。湿し液吐出装置２１は、インクジェット記録ヘッド２０より、中間転写体１２の搬送方向（図３３中、矢印Ｘ方向）上流側に設けられている。
【０１８７】
インクジェット記録ヘッド２０は、イエローのインク滴を吐出するインクジェット記録ヘッド２０Ｙ、マゼンタのインク滴を吐出するインクジェット記録ヘッド２０Ｍ、シアンのインク滴を吐出するインクジェット記録ヘッド２０Ｃ、及び黒色のインク滴を吐出するインクジェット記録ヘッド２０Ｋを含んで構成されている。これらのインクジェット記録ヘッド２０Ｍ、シアン色のインク滴を吐出するインクジェット記録ヘッド２０Ｃ、及び黒色のインク滴を吐出するインクジェット記録ヘッド２０Ｋ（総称する場合には、インクジェット記録ヘッド２０と称する）は、圧電式（ピエゾ）、サーマル式などにより駆動される。
【０１８８】
この記録装置１０Ｃの構成は、第１の実施の形態で説明した記録装置１０におけるインクジェット記録ヘッド２０の構成を、インクジェット記録ヘッド２０Ｙ、インクジェット記録ヘッド２０Ｍ、インクジェット記録ヘッド２０Ｃ、及びインクジェット記録ヘッド２０Ｋを含んだ構成とした以外は、同じ構成であるため、同じ構成部分については同じ符号を付与して詳細な説明は省略する。
【０１８９】
なお、記録装置１０Ｃにおける処理としては下記の点が記録装置１０とは異なる。具体的には、第１の実施の形態で説明した記録装置１０における色変換部３４では、入力された形成対象の画像の画像データがＲＧＢデータの場合には単色データに変化する処理を画素毎に行なったが、記録装置１０Ｃでは、該ＲＧＢデータをＣＭＹＫデータに変換する処理を画素毎に行う。また、記録装置１０Ｃにおける処理として、第１の実施の形態で説明した記録装置１０における画像処理部３６では、各画素毎に単にハーフトーン処理を行なったが、記録装置１０Ｃでは、各画素のＹＭＣＫの色毎にハーフトーン処理を行なう。
【０１９０】
このように構成された記録装置１０Ｃでは、記録装置１０と同様に、メインコントローラ３１の湿し液データ作成部３９において湿し液データが作成される。この作成された湿し液データに基づいて、湿し液吐出装置２１から湿し液２１Ａが吐出されることによって、第１の実施の形態で説明したように、粒子層１６Ａ上の、形成対象の画像の各画素に応じたインクドットの記録される対象領域に湿し液２１Ａが吐出される。そして、メインコントローラ３１の制御によって、該湿し液２１Ａによる湿し液ドット２１Ｂに重なるように各色インク滴２０Ａが吐出される。このため、インク滴２０Ａによるインクドット２０Ｂの広がりが抑制される。インクドット２０Ｂの広がりが抑制される作用については第１の実施の形態で説明したため省略する。
【０１９１】
なお、上記インクジェット記録ヘッド２０Ｙ、インクジェット記録ヘッド２０Ｍ、インクジェット記録ヘッド２０Ｃ、及びインクジェット記録ヘッド２０Ｋは、中間転写体１２の搬送方向（図３３中、矢印Ｘ方向）上流側から下流側に向かって、光学濃度の低いインク滴から順に光学濃度の高いインク滴が吐出されるように配置されていることが、更なる画質向上の観点から望ましい。すなわち、インクジェット記録ヘッド２０Ｙ、インクジェット記録ヘッド２０Ｍ、インクジェット記録ヘッド２０Ｃ、及びインクジェット記録ヘッド２０Ｋの順に、中間転写体１２の搬送方向上流側から下流側に向かって配列されていることが望ましい。
この光学濃度は、ＩＳＯ視感濃度（ｖｉｓｕａｌ  ｄｅｎｓｉｔｙ）を示しており、光学濃度の測定には（Ｘ−ｒｉｔｅ４０４）を用いればよい。
【０１９２】
また、インクジェット記録ヘッド２０Ｙ、インクジェット記録ヘッド２０Ｍ、インクジェット記録ヘッド２０Ｃ、及びインクジェット記録ヘッド２０Ｋの内の、最も光学濃度の高いインク滴（黒色のインク滴）を吐出するインクジェット記録ヘッド２０Ｋから粒子層１６Ａにインク滴２０Ａが吐出されるときには、該インクジェット記録ヘッド２０Ｋより中間転写体１２の搬送方向上流側に配置されている湿し液吐出装置２１から吐出された湿し液２１Ａの液体受容性粒子１８間の空隙への吸液が完了していることが、更なる画質向上の観点から望ましい。
【０１９３】
なお、「湿し液２１Ａの液体受容性粒子１８間の空隙への吸液が完了している」とは、粒子層１６Ａに吐出された湿し液２１Ａが粒子層１６Ａの表面から突出しない程度に粒子層１６Ａ内に吸収されている状態を示している。少なくともインクジェット記録ヘッド２０Ｋから粒子層１６Ａにインク滴２０Ａが吐出されるときには、粒子層１６Ａに吐出された湿し液２１Ａの液体受容性粒子１８間の空隙への吸液が完了しているように調整するためには、例えば、湿し液吐出装置２１とインクジェット記録ヘッド２０Ｋとの間の距離を予め調整しておけばよい。
【０１９４】
上記のように、少なくともインクジェット記録ヘッド２０Ｋから粒子層１６Ａにインク滴２０Ａが吐出されるときには、粒子層１６Ａに吐出された湿し液２１Ａの液体受容性粒子１８間の空隙への吸液が完了していると、黒色のインク滴２０Ａによるインクドット２０Ｂ滲みが抑制され、高濃度及び高解像度の黒色画像が得られる。
【０１９５】
なお、本実施の形態では、上記インクジェット記録ヘッド２０Ｙ、インクジェット記録ヘッド２０Ｍ、インクジェット記録ヘッド２０Ｃ、及びインクジェット記録ヘッド２０Ｋより、中間転写体１２の搬送方向上流側に湿し液吐出装置２１が設けられた構成である場合を説明した。しかし、湿し液吐出装置２１は、少なくとも、該搬送方向の最も下流側に設けられたインクジェット記録ヘッド２０Ｋより該搬送方向上流側に配置されていればよく、この形態に限られない。
【０１９６】
例えば、図３４に示す記録媒体１０Ｄのように、中間転写体１２の搬送方向上流側から下流側に向かって配列されたインクジェット記録ヘッド２０Ｙ、インクジェット記録ヘッド２０Ｍ、インクジェット記録ヘッド２０Ｃ、及びインクジェット記録ヘッド２０Ｋの内の、インクジェット記録ヘッド２０Ｃとインクジェット記録ヘッド２０Ｋの間に設けられた形態であってもよい。また、図示は省略するが、湿し液吐出装置２１を、インクジェット記録ヘッド２０Ｙとインクジェット記録ヘッド２０Ｍとの間に設けた形態であってもよいし、インクジェット記録ヘッド２０Ｍとインクジェット記録ヘッド２０Ｃとの間に設けた形態であってもよい。
【図１】
2010201777.tif 000004
【図２】
2010201777.tif 000005
【図３】
2010201777.tif 000006
【図９】
2010201777.tif 000007
【図１０】
2010201777.tif 000008
【図１４】
2010201777.tif 000009
【図１５】
2010201777.tif 000010
【図１６】
2010201777.tif 000011
【図１７】
2010201777.tif 000012
【図１８】
2010201777.tif 000013
【図１９】
2010201777.tif 000014
【図２０】
2010201777.tif 000015
【図２１】
2010201777.tif 000016
【図２２】
2010201777.tif 000017
【図２５】
2010201777.tif 000018
【図２６】
2010201777.tif 000019
【図２７】
2010201777.tif 000020
【図３３】
2010201777.tif 000021
【図３４】
2010201777.tif 000022
【図４】
2010201777.tif 000023
【図５】
2010201777.tif 000024
【図６】
2010201777.tif 000025
【図７】
2010201777.tif 000026
【図８】
2010201777.tif 000027
【図１１】
2010201777.tif 000028
【図１２】
2010201777.tif 000029
【図１３】
2010201777.tif 000030
【図２３】
2010201777.tif 000031
【図２４】
2010201777.tif 000032
【図２８】
2010201777.tif 000033
【図２９】
2010201777.tif 000034
【図３０】
2010201777.tif 000035
【図３１】
2010201777.tif 000036
【図３２】
2010201777.tif 000037